(57)【要約】【課題】手乾燥装置使用時、濡れた手を手挿入部に挿入すると気体吹出しノズルから吹出される高速気体風によって、挿入された手が熱すぎたり冷たすぎるといった不快感を感じることのない手乾燥装置を提供する。【解決手段】手に付着した水などを気体風にて吹き飛ばす手乾燥装置において、手を挿入する手挿入部と、前記手に気体風を吹出す吹出しノズルと、前記吹出しノズルに前記気体風を導入する気体供給手段とを設けるとともに、前記気体供給手段より供給される高速気体風を加熱する加熱手段と、前記加熱手段の出力を制御する加熱制御手段とを設けた。【選択図】　図１
2004121653.tif 000002
【特許請求の範囲】
【請求項１】
手に付着した水などを高速気体風にて乾燥させる手乾燥装置において、手を挿入する手挿入部と、前記手に高速気体風を吹出す吹出しノズルと、前記吹出しノズルに前記高速気体風を導入する気体供給手段と、前記気体供給手段より供給される高速気体風を加熱する加熱制御手段とを設けるとともに、前記加熱制御手段は、前記気体供給手段より供給される高速気体風の風温を変化するように前記加熱制御手段の出力を制御することを特徴とする手乾燥装置。
【請求項２】
前記加熱制御手段は、前記気体風の風温変化を乾燥動作経過後よりも乾燥動作当初の方が風温が高いように制御することを特徴とする請求項１に記載の手乾燥装置。
【請求項３】
前記加熱制御手段は、手に付着した水が乾燥する前と乾燥した後では風温が異なり、前記乾燥後の方が風温を下げたことを特徴とする請求項２に記載の手乾燥装置。
【請求項４】
前記手乾燥装置において、室温検出手段を設けるとともに、前記加熱制御手段は、前記室温検出手段からの出力信号をもとに前記加熱手段の出力を変化させる
ことを特徴とする請求項１〜３に記載の手乾燥装置。
【請求項５】
前記手乾燥装置において、前記室温検出手段からの出力信号に応じて前記加熱手段による風温値設定を任意に変更可能な調整手段を設けたことを特徴とする請求項４に記載の手乾燥装置。
【請求項６】
前記手乾燥装置において、気体風温検出手段を設けるとともに、
前記加熱制御手段は、前記気体風温検出手段からの出力信号をもとに前記加熱手段の出力を変化させることを特徴とする請求項１〜５に記載の手乾燥装置。
【請求項７】
前記手乾燥装置において、前記加熱制御手段による風温設定レベルを任意に設定可能な調整手段を設けたことを特徴とする請求項６に記載の手乾燥装置。
【請求項８】
前記手乾燥装置において、乾燥動作開始からの乾燥駆動時間検出手段を設けるとともに、前記加熱制御手段は、前記駆動時間検出手段からの出力信号をもとに前記加熱手段の出力を変化させることを特徴とする請求項１〜３に記載の手乾燥装置。
【請求項９】
前記手乾燥装置において、前記駆動時間検出手段からの出力信号による加熱手段の出力を変化する時間を任意に変更可能な調整手段を設けたことを特徴とする請求項８に記載の手乾燥装置。
【請求項１０】
前記駆動時間検出手段は、前記気体供給手段の駆動開始からの駆動時間を検出することを特徴とする請求項８ないし９に記載の手乾燥装置。
【請求項１１】
前記手乾燥装置において、手に付着している水分量を検出する水分量検出手段を設けるとともに、前記加熱制御手段は、前記水分量検出手段からの出力信号をもとに前記加熱手段の出力を変化させることを特徴とする請求項１〜３に記載の手乾燥装置。
【請求項１２】
前記手乾燥装置において、前記水分量検出手段からの出力信号による前記加熱手段の出力変化において、水分量検出信号による加熱手段の出力設定を任意に変更可能な調整手段を設けたことを特徴とする請求項１１に記載の手乾燥装置。
【請求項１３】
前記水分量検出手段は、水分除去に伴なう前記挿入された手の表面温度の変化によって、水分量を検出することを特徴とする請求項１１ないし１２に記載の手乾燥装置。
【発明の詳細な説明】
【０００１】
【発明の属する技術分野】
本発明は、濡れた手に付着している水などを気体風によって乾燥させる手乾燥装置に関する。
【０００２】
【従来の技術】
従来、この種の手乾燥装置は、図１に示すように、装置本体に配設された気体供給手段から供給された気体風を吹出しノズルから吹出して、手挿入部に挿入された手の掌または甲側に付着した水滴等を吹き飛ばして、手を乾燥させるものが知られている（例えば、特許文献１参照）。なお、上記手乾燥装置に配設された気体供給手段は、高圧気体風を供給することが可能なターボファンとする。
【０００３】
【特許文献１】
特開昭６１−１２２８２３号公報
【０００４】
【発明が解決しようとする課題】
しかしながら、上記従来の手乾燥装置では、使用者が手を乾燥させる際、加熱手段の出力を適切に制御していないため、加熱手段の熱出力が大きすぎて乾燥している手が熱く感じたり、逆に加熱手段の熱出力が小さすぎて手が冷たいと感じる問題があった。
なお、上記課題は手に付着した水分が乾燥する前後において特に加熱手段による熱さや冷たさを顕著に感じられる。
【０００５】
また、上記従来の手乾燥装置における加熱手段の制御方法では、手に水滴等が多く付着している際は、加熱手段の熱出力が強くても手は熱く感じないが、高速気体風によって吹き飛ばされて手に付着していた水滴等が少なくなると、熱出力が強すぎて手が熱く感じて使用できなくなるといった問題があった。
【０００６】
本発明は、上記課題を解決するためになされたもので、本発明の目的は、使用者が乾燥させる際、常に使用者が快適に使用することのできる温度の高速気体風を吹出すことが可能な手乾燥装置を提供することにある。
【０００７】
【課題を解決するための手段】
上記目的を達成するために本発明の請求項１の手乾燥装置では、手に付着した水などを気体風にて吹き飛ばす手乾燥装置において、手を挿入する手挿入部と、前記手に気体風を吹出す吹出しノズルと、前記吹出しノズルに前記気体風を導入する気体供給手段とを設けるとともに、前記気体供給手段より供給される高速気体風を加熱する加熱手段と、前記加熱手段の出力を制御する加熱制御手段とを設けた。
【０００８】
この構成によれば、使用者が濡れた手を前記手挿入部に挿入すると、前記気体吹出しノズルから吹出される高速気体風は、前記加熱制御手段によって、前記加熱手段の熱出力を制御し、前記手挿入部に挿入された手に最適な温度の高速気体風を吹出すため、使用者は快適に手乾燥装置を使用することができる。
【０００９】
また、請求項２および３の手乾燥装置では、前記加熱制御手段は前記加熱手段の熱出力を前記手乾燥装置の経過時間や乾燥状態に応じて、前記高速気体風の風温を下げるように構成すれば、前記加熱制御手段は、前記手挿入部に挿入された手に水滴等が多く付着している前記手乾燥装置の動作開始直後は、前記加熱手段の熱出力を大にし、前記手の水滴等の付着は乾燥動作により徐々に減少することから、前記手乾燥装置の動作経過時間に応じて、前記加熱手段の熱出力を減少させるため、使用者は快適に手乾燥装置を使用することができる。
【００１０】
また、請求項４の手乾燥装置では、前記手乾燥装置において室温検出手段を設けるとともに、前記加熱制御手段は、前記室温検出手段からの出力信号をもとに前記加熱手段の出力を変化させるように構成する。前記加熱制御手段は、前記手乾燥装置近辺に設けられた前記室温検出手段からの出力信号（室温）をもとに前記加熱手段の出力を変化させ、この場合、室温が高い場合は前記加熱手段の熱出力を減少し、室温が低い場合は前記加熱手段の熱出力を増加させることにより、前記気体吹出しノズルから吹出される高速気体風の風温を変化させ、使用者は快適に手乾燥装置を使用することができる。
【００１１】
また、請求項５の手乾燥装置では、前記手乾燥装置において前記室温検出手段の出力信号に応じた加熱手段による風温値設定レベルを任意に変更可能な調整手段を設けるように構成すれば、例えば前記調整手段によって前記室温検出手段の出力による風温値設定を高めに設定したり、逆に前記加熱手段の熱出力が小さくになるようにしてもよく、更に前記調整手段によって前記室温検出手段の出力を無効にするなども可能となるとともに、現場の状況や使用者の好みにあわせた設定が可能となる。
【００１２】
また、請求項６の手乾燥装置では、前記手乾燥装置において気体風温検出手段を設けるとともに、前記加熱制御手段は、前記気体風温検出手段からの出力信号をもとに前記加熱手段の出力を変化させるように構成すれば、前記加熱制御手段は、前記手乾燥装置近辺に設けられた前記気体風温検出手段からの出力信号（風温）をもとに前記加熱手段の出力を変化させるとよく、この場合、風温が高い場合は前記加熱手段の熱出力を減少し、風温が低い場合は前記加熱手段の熱出力を増加させることにより、前記気体吹出しノズルから吹出される高速気体風の風温を最適にすることが可能となるため、使用者は快適に手乾燥装置を使用することができる。
また、このように制御すれば加熱手段を過熱状態にすることもなく、スムーズは加熱立ち上げも可能になる。
【００１３】
また、請求項７の手乾燥装置では、前記手乾燥装置において前記気体風温検出手段による加熱手段出力の風温設定レベルを任意に変更可能な調整手段を設けるように構成すれば、例えば前記調整手段によって前記気体風温レベルを最適に設定することも可能となるとともに、現場の状況にあわせた設定が可能となるため使用者は快適に前記手乾燥装置を使用することができる。
【００１４】
また、請求項８の手乾燥装置では、前記手乾燥装置において駆動開始からの駆動時間検出手段を設けるとともに、前記加熱制御手段は、前記駆動時間検出手段からの出力信号をもとに前記加熱手段の出力を変化させるように構成すれば、前記加熱制御手段は、前記駆動時間検出手段からの出力信号（駆動時間）をもとに前記加熱手段の出力を変化させるとよく、この場合、駆動経過時間が短い場合は前記加熱手段の熱出力を増加し、駆動経過時間が長い場合は、前記加熱手段の熱出力を減少させることにより、前記気体吹出しノズルから吹出される高速気体風の風温を変化させることが可能となり、使用者は快適に手乾燥装置を使用することができる。
【００１５】
また、請求項９の手乾燥装置では、前記手乾燥装置において前記駆動時間検出手段からの信号に応じた加熱手段の制御の経過時間点の設定を任意に変更可能な調整手段を設けるように構成すれば、例えば前記調整手段によって前記駆動経過時間に応じた最適な設定が可能で、現場の状況にあわせた設定が可能となる。
【００１６】
また、請求項１０の手乾燥装置では、前記駆動時間検出手段は前記気体供給手段の駆動開始からの駆動時間を検出するように構成すれば、実質的な乾燥状態に応じた快適な風温の高速気体風により乾燥動作が可能で、使用者は快適に手の乾燥を行うことができる。
【００１７】
また、請求項１１の手乾燥装置では、前記手乾燥装置において手に付着している水分量を検出する水分検出手段を設けるとともに、前記加熱制御手段は、前記水分量検出手段からの出力信号をもとに前記加熱手段の出力を変化させるように構成すれば、前記加熱制御手段は、手の乾燥状態に応じた加熱制御が可能で、前記挿入された手に付着している水滴等が多量である場合は前記加熱手段の熱出力を増加し、前記挿入された手に付着している水滴等が少量場合は、前記加熱手段の熱出力を減少させることにより、使用者は快適に手乾燥装置を使用することができる。
【００１８】
また、請求項１２の手乾燥装置では、前記手乾燥装置において前記水分量検出手段出力による加熱手段の制御設定を任意に変更可能な調整手段を設けるように構成すれば、付着水分量に応じた加熱レベルに設定可能であるとともに、現場の使用状況にあわせた設定が可能となる。
【００１９】
また、請求項１３の手乾燥装置では、前記水分量検出手段は前記挿入された手の表面温度変化を検出するように構成すれば、その相関関係により手に付着した水分量の検出が可能である。
【００２０】
【発明の実施の形態】
以下、本発明の実施の形態を添付図面に基づいて説明する。
図１および図２は、本発明に係る手乾燥装置の第一および第二の実施例を示す概略断面図であり、図３は、本発明に係る手乾燥装置の他の実施例を示す制御ブロック図である。
【００２１】
図１および図２に示すように、手乾燥装置Ａは、本体の上部に内蔵して気体風を供給する気体供給手段１２と、気体供給手段１２から供給路２を介して高速気体風を吹き出す気体吹出しノズル４と、本体１の下部に設けられて水滴等を受ける水受部９と、水受部９に着脱自在に取り付けられて水受部９で受けた水滴等を水受部９に設けた排水口７を介して貯水する水受けトレイ１０と、本体１の上部と水受部９との間に形成して濡れた手５を挿入する手挿入部６と、供給路２に配設して気体供給手段１２から供給された高速気体風を加熱するヒータ等の加熱手段３とから構成されている。
【００２２】
また、気体吹出しノズル４の近傍には、手挿入部６に挿入された手５を検出する人体検出手段８が設けられており、人体検出手段８からの検出信号に基づいて、気体供給手段１２を制御する制御部１１が設けられている。
【００２３】
また、本体には、気体吹出しノズル４から吹出される高速気体風量を設定できる風量切替手段（図示せず）が設けられており、風量切替手段からの設定信号に基づいて、制御部１１が気体供給手段１２を制御して気体吹出しノズル４から吹出される高速気体風量を調整するように構成されている。
【００２４】
更に、本体内には、加熱手段３の熱出力を制御して気体供給手段１２から供給される高速気体風を快適な温度に調整するための加熱制御手段１３が設けられている。
【００２５】
以上のように構成された手乾燥装置Ａの動作について、以下に説明する。
使用者が手挿入部６に手５を挿入すると、人体検出手段８により手５を検出し、その検出信号が制御部１１に入力されると、気体供給手段１２が駆動することによって、気体吹出しノズル４から手５の掌側または甲側に向けて、使用者から離れる方向に高速気体風が吹き出し、手５に付着している水滴等を吹き飛ばして、手５の乾燥が行われる。
【００２６】
また、手挿入部６に挿入された手５を人体検知手段８が検知し、その検知信号が加熱制御手段１３に入力されると、加熱制御手段１３は加熱手段３の熱出力を調整することによって、快適な温度に調整された高速気体風を気体吹出しノズル４から挿入された手５に吹出して、手５を乾燥させる。この場合、加熱手段３の駆動は、気体供給手段１２の駆動と連動させるとよい。
【００２７】
そして、気体吹出しノズル４から吹出された高速気体風および、高速気体風により吹き飛ばされた水滴等は、手５の掌側または、甲側の接線方向に沿って水受部９へ向かい、水受部９で受けた後、排水口７を経由して水受けトレイ１０へ誘導される。
【００２８】
従って、このように構成にすれば、手乾燥装置Ａを使用時、使用者が濡れた手５を手挿入部６に挿入すると、加熱制御手段１３により快適な温度の高速気体風が気体吹出しノズル４より吹出し、挿入された手５の掌側または、甲側に付着した水滴等を除去するため、使用者は快適に手乾燥装置を使用することができる。
【００２９】
また、図示では制御部１１と加熱制御手段１３とが記載されているが、制御部１１で加熱制御手段１３を兼ねてもよくこのように構成すれば、部品点数が削減できるとともに、コスト削減が可能となる。
【００３０】
図４は、本発明に係る手乾燥装置の第三の実施例を示す概略断面図で、図５は、本発明に係る手乾燥装置の他の実施例を示す制御ブロック図であり、上述した第一および第二の実施例と同様の構成は同一の符号を付し、その説明は省略する。
【００３１】
図４および図５に示すように本体内には室温検出手段１４を設けており、加熱制御手段１３は本体に配設された手乾燥装置近辺の室温を検出する室温検出手段１４の検出信号によって、加熱手段３の熱出力を変化させるように構成すれば、手乾燥装置近辺の室温を検出する室温検出手段１４からの出力信号をもとに、加熱制御手段１３は加熱手段３の熱出力を変化させるようにするとよく、この場合、手乾燥装置近辺の室温が高い場合は、加熱制御手段１３が加熱手段３の熱出力を減少させ、また、手乾燥装置近辺の室温が低い場合は、加熱制御手段１３が加熱手段３の熱出力を増加させることにより、気体吹出しノズル４から吹出される高速気体風の風温を変化させることが可能となるため、使用者は快適に手乾燥装置を使用することができる。
【００３２】
また、図示のように室温検出手段１４による加熱出力設定を任意に変更可能な調整手段１８を設けるように構成すれば、この場合、例えば調整手段１８によって室温検出手段１４の設定に応じて加熱レベルを最適にすることが可能となるため、現場の状況にあわせた設定が可能となるとともに、手乾燥装置の使い勝手が向上する。
【００３３】
図６は、本発明に係る手乾燥装置の第四の実施例を示す概略断面図で、図７は、本発明に係る手乾燥装置の更に他の実施例を示す制御ブロック図であり、上述した第一および第二の実施例と同様の構成は同一の符号を付し、その説明は省略する。
【００３４】
図６および図７に示すように本体内の気体吹出しノズル４近辺には気体風温検出手段１５を設けており、加熱制御手段１３は本体内の気体吹出しノズル４近辺に配設された気体風温検出手段１５の検出信号によって、加熱手段３の熱出力を変更可能にしてもよく、この場合、気体供給手段１２から供給された高速気体風が加熱手段３を通過後、気体吹出しノズル４から吹出される前の気体風温を検出する気体風温検出手段１５からの出力信号をもとに、加熱制御手段１３は加熱手段３の熱出力を変化させるように構成すれば、加熱制御手段１３は、気体吹出しノズル４から挿入された手５に吹出される前の気体風温が高い場合は、加熱制御手段１３が加熱手段３の熱出力を減少させ、また、気体吹出しノズル４から挿入された手５に吹出される前の気体風温が低い場合は、加熱制御手段１３が加熱手段３の熱出力を増加させることにより、気体吹出しノズル４から吹出される高速気体風の風温を最適に変化させることが可能となるため、使用者は快適に手乾燥装置を使用することができる。
【００３５】
また、図示のように気体風温検出手段１５のによる加熱設定を任意に変更可能な調整手段１８を設けるように構成すれば、この場合、調整手段１８によって気体風温検出手段１５からの信号による加熱レベルを選択でき、現場の状況にあわせた設定が可能となるとともに、手乾燥装置の使い勝手が向上する。
【００３６】
図８は、本発明に係る手乾燥装置の第五の実施例を示す概略断面図で、図９は、本発明に係る手乾燥装置の更に他の実施例を示す制御ブロック図であり、上述した第一および第二の実施例と同様の構成は同一の符号を付し、その説明は省略する。
【００３７】
図８および図９に示すように本体内の制御部１１に、気体供給手段１２の駆動開始からの時間を検出する駆動時間検出手段１６を設けており、加熱制御手段１３は駆動時間検出手段１６の検出信号によって、加熱手段３の熱出力を変更可能にしてもよく、この場合、人体検出手段８が挿入された手５を検知後、気体供給手段１２が駆動開始してからの駆動時間を検出する駆動時間検出手段１６からの出力信号をもとに、加熱制御手段１３は加熱手段３の熱出力を変化させるように構成すれば、加熱制御手段１３は、駆動開始からの経過時間が短い場合は加熱手段３の熱出力を維持し、駆動開始からの経過時間が長くなったらは、加熱手段３の熱出力を減少させることにより、気体吹出しノズル４から吹出される高速気体風の風温を最適化させることが可能となるため、使用者は快適に手乾燥装置を使用することができる。
【００３８】
また、図示のように駆動時間検出手段１６からの信号による加熱出力の設定を任意に変更可能な調整手段１８を設けるように構成すれば、この場合、調整手段１８によって駆動時間検出手段１６の信号による加熱設定レベルを最適にでき、現場の状況にあわせた設定が可能となるとともに、手乾燥装置の使い勝手が向上する。
【００３９】
図１０は、本発明に係る手乾燥装置の第六の実施例を示す概略断面図で、図１１は、本発明に係る手乾燥装置の更に他の実施例を示す制御ブロック図であり、上述した第一および第二の実施例と同様の構成は同一の符号を付し、その説明は省略する。
【００４０】
図１０および図１１に示すように、本体内には、手に付着した水分量を検出する水分量検出手段１７を設けており、加熱制御手段１３は水分量検出手段１７の検出信号によって、加熱手段３の熱出力を変化させるように構成すれば、加熱制御手段３は、水分量検出手段１７からの出力信号（水分量）をもとに加熱手段３の熱出力を変化させるようにするとよく、乾燥状態に
応じて、挿入された手５に付着している水滴等が多量である場合は加熱手段３の熱出力を維持し、挿入された手５に付着している水滴等が少量場合は、加熱手段３の熱出力を減少させることにより、気体吹出しノズル４から吹出される高速気体風の風温を最適にすることが可能となるため、使用者は快適に手乾燥装置を使用することができる。
【００４１】
また、図示のように水分量検出手段１７による加熱レベル設定を任意に変更可能な調整手段１８を設けるように構成すれば、調整手段１８によって水分量検出手段１７に応じた加熱レベルの設定を最適にでき、現場の状況にあわせた設定が可能となる。
【００４２】
なお、水分量検出手段１７は、焦電センサーなどを好適に用いるとよく、この場合、焦電センサーは水滴等が手５に付着した状態では手５の温度が低いため、加熱手段３の熱出力維持の信号を出力し、また手５に付着した水滴等が少なくなると手５の温度が高いくなるため、加熱手段３の熱出力減信号を出力するように構成するとよい。
【００４３】
なお、上記した図示では制御部１１と加熱制御手段１３と調整手段１８とを別々に設けているが、制御部１１で加熱制御手段１３と調整手段１８とを兼ねてもよくこのように構成すれば、部品点数が削減できるとともに、コスト削減が可能となるとともに、手乾燥装置の使い勝手が向上する。
【００４４】
また、上記した図示では調整手段１８を本体内に配設しているが、調整用の切替スイッチもしくは、ボリュームスイッチなどは、本体表面部に突出させて任意に設定変更できるように構成するとよく、このように構成すれば、加熱制御手段１３の設定を容易に変更することが可能となるとともに、手乾燥装置の使い勝手が向上する。
【００４５】
更に、加熱制御手段１３は、本体に配設された風量制御手段（図示せず）の設定によって、加熱手段３の熱出力を変化させるように構成すれば、風量制御手段（図示せず）の設定が強側の場合は、気体供給手段１２より供給される気体風量が多く手挿入部６に挿入された手５が冷たさを感じやすいため、加熱制御手段１３が加熱手段３の熱出力を増加させ、また、風量制御手段（図示せず）の設定が弱側の場合は、気体供給手段１２より供給される気体風量が少なく手挿入部６に挿入された手が冷たさを感じにくいため、加熱制御手段１３が加熱手段３の熱出力を減少させることにより、気体吹出しノズル４から吹出される高速気体風の風温を変化させることが可能となるため、使用者は快適に手乾燥装置を使用することができる。
【００４６】
なお、上記風量制御手段（図示せず）は、強・弱の２段階切替としているが、切替数は３段切替もしくは、それ以上でもよくまた、風量制御手段を無段階調節型のボリュームとしてもよい。
【００４７】
また、加熱手段３には、ニクロム線ヒーターや、ＰＴＣヒーターなどを好適に用いるとよい。
【００４８】
上述した内容は、あくまで本発明の一実施形態に関するものであって、本発明が上記内容のみに限定されることを意味されるものでない。例えば、高速気体風を温めるための加熱手段３は、単独で配設されているが、複数配設し、各々の加熱手段を３をＯＮ／ＯＦＦ動作させてもよく、このように構成しても、同様に高速気体風の風温を変化させることが可能である。
【００４９】
また、加熱手段３の動作は、加熱動作切替設定手段を設けることにより、動作の有無を任意に設定できるようにしてもよい。
【００５０】
また、気体供給手段１２から供給される高速気体風は、高速風に限らず、低速風でもよい。
【００５１】
【発明の効果】
以上説明したように、本発明によれば、手乾燥装置使用時、加熱制御手段により加熱手段の熱出力を制御することによって、気体吹出しノズルから吹出される高速気体風を使用者にとって快適な風温に調節して吹出し、挿入された手に付着した水滴等を吹き飛ばすため、使用者は快適に手乾燥装置を使用することができる。
【図面の簡単な説明】
【図１】本発明に係る手乾燥装置の第一の実施例を示す概略断面図である。
【図２】本発明に係る手乾燥装置の第二の実施例を示す概略断面図である。
【図３】本発明に係る手乾燥装置の実施例を示す制御ブロック図である。
【図４】本発明に係る手乾燥装置の第三の実施例を示す概略断面図である。
【図５】本発明に係る手乾燥装置の他の実施例を示す制御ブロック図である。
【図６】本発明に係る手乾燥装置の第四の実施例を示す概略断面図である。
【図７】本発明に係る手乾燥装置の更に他の実施例を示す制御ブロック図である。
【図８】本発明に係る手乾燥装置の第五の実施例を示す概略断面図である。
【図９】本発明に係る手乾燥装置の更に他の実施例を示す制御ブロック図である。
【図１０】本発明に係る手乾燥装置の第六の実施例を示す概略断面図である。
【図１１】本発明に係る手乾燥装置の更に他の実施例を示す制御ブロック図である。
【符号の説明】
Ａ…手乾燥装置、１…気体供給手段、２…供給路、３…加熱手段、
４…気体吹出しノズル、５…手、６…手挿入部、７…排水口、
８…人体検知手段、９…水受け部、１０…水受けトレイ、
１１…制御部、１２…気体供給手段、１３…加熱制御手段、
１４…室温検出手段、１５…気体風温検出手段、
１６…駆動時間検出手段、１７…水分量検出手段、１８…調整手段
【図１】
2004121653.tif 000003
【図２】
2004121653.tif 000004
【図３】
2004121653.tif 000005
【図４】
2004121653.tif 000006
【図５】
2004121653.tif 000007
【図６】
2004121653.tif 000008
【図７】
2004121653.tif 000009
【図８】
2004121653.tif 000010
【図９】
2004121653.tif 000011
【図１０】
2004121653.tif 000012
【図１１】
2004121653.tif 000013